(57)【要約】【課題】ＬＥＤを具えた照明器具から照射される光出力の三刺激値を検出して、光出力を制御する方法及びシステムを提供する。【解決手段】ＬＥＤにもとづく照明装置(10)から照射される光出力(11)を制御するための三刺激値(30a)を検出する方法を実現する光出力(11)制御システムを開示する。このシステムは、光出力(11)の第１組の三刺激値(31a)を検出する１つ以上のフィルタ／フォトダイオード・センサを具えて、この三刺激値を表わす信号(ＣＳ1〜ＣＳ3)を供給する。変換行列(32)ではこれらの信号を利用して、これにより、第２組の三刺激値(30a)を得る。システム(60)は、光出力(11)を、第２組の三刺激値(30a)の関数として制御する。
2004526289.tif 000002
【特許請求の範囲】
【請求項１】
少なくとも１つの発光ダイオードを具えた照明器具から照射される光出力を制御する方法において、
前記光出力の第１組の三刺激値を検出するステップと；
前記第１組の三刺激値を、標準的な色温度測定系を代表する第２組の三刺激値に変換するステップと；
前記光出力を、前記第２組の三刺激値の関数として制御するステップと
を具えていることを特徴とする光出力の制御方法。
【請求項２】
さらに、
各々が複数の発光ダイオードを具えた複数の照明器具からの複数の光出力の第３組の刺激値を測定するステップと；
前記複数の光出力の第４組の三刺激値を検出するステップと；
前記第２組の三刺激値と前記第３組の三刺激値の関数としての変換行列を決定するステップと；
前記変換行列が線形である際に、前記変換行列を前記第１組の三刺激値に適用して、これにより、前記第１組の三刺激値を前記第２組の三刺激値に変換するステップと
を具えていることを特徴とする請求項１に記載の方法。
【請求項３】
さらに、
複数のセンサを、前記複数の照明器具に対して位置決めして、これにより、前記複数の光出力の前記第４の三刺激値を検出するステップと；
前記複数のセンサのうちの少なくとも２つのセンサを、前記照明器具に対して位置決めして、これにより、前記光出力の前記第１組の三刺激値を検出するステップと
を具えていることを特徴とする請求項２に記載の方法。
【請求項４】
さらに、
各々が複数の発光ダイオードを具えた複数の照明器具からの複数の光出力の、第３組の三刺激値、及び第１組のｘｙ座標及びルーメン値を測定するステップと；
前記複数の光出力の、第４組の三刺激値、及び第２組のｘｙ座標及びルーメン値を検出するステップと；
前記第２組の三刺激値と前記第３組の三刺激値の関数としての変換行列を決定するステップと；
前記変換行列が線形であり、かつ前記第１組のｘｙ座標及びルーメン値と、前記第２組のｘｙ座標及びルーメン値との誤差が、誤差の最大限度内である際に、前記変換行列を前記第１組の三刺激値に適用して、これにより、前記第１組の三刺激値を前記第２組の三刺激値に変換するステップと
を具えていることを特徴とする請求項１に記載の方法。
【請求項５】
さらに、
複数のセンサを、前記複数の照明器具に対して位置決めして、これにより、前記複数の光出力の、前記第４組の三刺激値、及び前記第１組のｘｙ座標及びルーメン値を検出するステップと；
前記複数のセンサのうちの少なくとも２つのセンサを、前記照明器具に対して位置決めして、これにより、前記光出力の前記第１組の三刺激値を検出するステップと
を具えていることを特徴とする請求項４に記載の方法。
【請求項６】
さらに、
前記光出力の第１組のｘｙ座標及びルーメン値を、前記第２組の三刺激値の関数として特定するステップと；
前記光出力を、前記第２組の三刺激値、及び前記第１組のｘｙ座標及びルーメン値の関数として制御するステップと
を具えていることを特徴とする請求項１に記載の方法。
【請求項７】
各々が複数の発光ダイオードを具えた複数の照明器具からの複数の光出力の第３組の三刺激値を測定するステップと；
前記複数の光出力の第４組の三刺激値を検出するステップと；
前記第２組の三刺激値と前記第３組の三刺激値の関数としての変換行列を決定するステップと；
前記変換行列が線形である際に、前記変換行列を前記第１組の三刺激値に適用して、これにより、前記第１組の三刺激値を前記第２組の三刺激値に変換するステップと
を具えていることを特徴とする請求項６に記載の方法。
【請求項８】
さらに、
複数のセンサを、前記複数の照明器具に対して位置決めして、これにより、前記第４組の三刺激値を検出するステップと；
前記複数のセンサのうちの少なくとも２つのセンサを前記照明器具に対して位置決めして、これにより、前記光出力の前記第１組の三刺激値を検出するステップと
を具えていることを特徴とする請求項７に記載の方法。
【請求項９】
さらに、
各々が複数の発光ダイオードを具えた複数の照明器具からの複数の光出力の、第３組の三刺激値、及び第２組のｘｙ座標及びルーメン値を測定するステップと；
前記複数の光出力の、第４組の三刺激値、及び第３組のｘｙ座標及びルーメン値を検出するステップと；
前記第２組の三刺激値と前記第３組の三刺激値の関数としての変換行列を決定するステップと；
前記変換行列が線形であり、かつ前記第２組のｘｙ座標及びルーメン値と、前記第３組のｘｙ座標及びルーメン値との誤差が、誤差の最大限度内にある際に、前記変換行列を前記第１組の三刺激値に適用して、これにより、前記第１組の三刺激値を前記第２組の三刺激値に変換するステップと
を具えていることを特徴とする請求項６に記載の方法。
【請求項１０】
複数のセンサを、前記複数の照明器具に対して位置決めして、これにより、前記複数の光出力の、前記第４組の三刺激値、及び前記第３組のｘｙ座標及びルーメン値を検出するステップと；
前記複数のセンサのうちの少なくとも２つのセンサを、前記照明器具に対して位置決めして、これにより、前記光出力の前記第１組の三刺激値を検出するステップと
を具えていることを特徴とする請求項９に記載の方法。
【請求項１１】
光出力制御システム内の複数のセンサのうちの少なくとも２つのセンサを選択的に使用する方法において、
少なくとも１つの光出力の、第１組の三刺激値、及び第１組のｘｙ座標及びルーメン値を測定するステップと；
前記複数のセンサを動作させて、前記少なくとも１つの光出力の、第２組の三刺激値、及び第２組のｘｙ座標及びルーメン値を検出するステップと；
前記第１組の三刺激値と前記第２組の三刺激値の関数としての変換行列を計算するステップと
を具えていることを特徴とするセンサの選択使用方法。
【請求項１２】
さらに、
前記変換行列が非線形である際には、前記複数のセンサを使用しないで、
前記変換行列が線形である際には、前記システム内の前記複数のセンサのうちの少なくとも２つのセンサを使用するステップを具えていることを特徴とする請求項１１に記載の方法。
【請求項１３】
さらに、
前記変換行列が線形である際に、前記第１組の座標及びルーメン値と、前記第２組のｘｙ座標及びルーメン値とを比較して、その誤差を得るステップと；
前記誤差が誤差の最大限度を超える際には、前記複数のセンサを使用しないで、前記誤差が誤差の最大限度内にある際には、前記複数のセンサのうちの少なくとも２つのセンサを使用するステップを具えていることを特徴とする請求項１１に記載の方法。
【請求項１４】
複数の発光ダイオードを具えた照明器具から照射される光出力を制御する方法において、
前記光出力の第１組の三刺激値を検出するステップと；
前記第１組の三刺激値を第２組の三刺激値に変換するステップと；
一組のｘｙ座標及びルーメン値を、前記第２組の三刺激値の関数として特定するステップと；
前記光出力の色及び照度レベルを、前記第２組の三刺激値、及び前記一組のｘｙ座標及びルーメン値の関数として制御するステップと
を具えていることを特徴とする光出力の制御方法。
【請求項１５】
複数の発光ダイオードを具えた照明器具から照射される光出力を制御するシステムにおいて、
前記光出力の第１組の三刺激値を表わす第１組の信号を供給することが可能な複数のセンサと；
前記第１組の信号が表わす前記第１組の三刺激値に変換行列を適用して、前記光出力の、第２組の三刺激値、及び一組のｘｙ座標及びルーメン値を特定することが可能な第１コントローラと
を具えていることを特徴とする光出力制御システム。
【請求項１６】
前記第１コントローラがさらに、前記光出力の、前記第２組の三刺激値、及び前記一組のｘｙ座標及びルーメン値に応じた、前記光出力の調整値を表わす信号を、前記照明器具に供給することが可能であることを特徴とする請求項１５に記載のシステム。
【請求項１７】
前記システムがさらに、
前記光出力の、前記第２組の三刺激値、及び前記一組のｘｙ座標及びルーメン値に応じた、前記光出力の調整値を表わす信号を、前記照明器具に供給することが可能な第２コントローラを具えて、
前記第１コントローラがさらに、前記第２組の三刺激値、及び前記一組のｘｙ座標及びルーメン値を表わす第２組の信号を、前記第２コントローラに供給することが可能である
ことを特徴とする請求項１５に記載のシステム。
【請求項１８】
コンピュータで読み取り可能な媒体内にあり、照明器具から照射される光出力を制御するためのコンピュータ・プログラムにおいて、
前記光出力の第１組の三刺激値に変換行列を適用して、前記光出力の、第２組の三刺激値、及び一組のｘｙ座標及びルーメン値を特定する、コンピュータで読み取り可能な第１コードと；
前記光出力の、前記第２組の三刺激値、及び前記一組のｘｙ座標及びルーメン値の関数として、前記光出力を制御するための、コンピュータで読み取り可能な第２コードと
を具えていることを特徴とするコンピュータプログラム製品。
【発明の詳細な説明】
【技術分野】
【０００１】
本発明は一般に、照明器具の制御に関するものである。本発明は特に、種々の色の光を照射する複数の発光ダイオード（ＬＥＤ：Light Emitting Diode）を具えた照明器具から照射される光出力のフィードバック（帰還）制御用の三刺激値を検出する。
【背景技術】
【０００２】
赤色ＬＥＤ、緑色ＬＥＤ、及び青色ＬＥＤ（ＲＧＢ LED：Red Green Blue LED）は従来技術において周知である。同じ製造プロセスで製造しても、ＬＥＤ群内の個々のＲＧＢ  ＬＥＤの光特性が大幅に変動し得ることも既知である。これに加えて、ＬＥＤの特性は、順電流、周囲温度、及び経年によって変化する。結果として、ＲＧＢ  ＬＥＤにもとづく個々の照明器具が発生する白色光の品質が変動する。従って、ＲＧＢ  ＬＥＤにもとづく照明器具が発生する白色光の品質のばらつきを、解消しないまでも最小にするために、ＲＧＢ  ＬＥＤにもとづく照明器具の（国際照明委員会（ＣＩＥ：Commission International de'lEclairage）1931色度座標のような標準的な色温度測定系が規定する）色及び照度レベルを共に、規格のレベルに確立して絶えず維持するために、フィードバック制御システムが要求される。
【０００３】
従って、このフィードバック制御システムは、色温度及び照度レベルを制御するために、ＲＧＢ  ＬＥＤにもとづく照明器具の実際の色及び実際の照度レベルを表わす信号を受信しなければならない。ＣＩＥ1931ｘｙ色空間のような標準的な色温度測定系の等色（カラー・マッチング）関数に整合するフィルタ及びフォトダイオードを具えたセンサが、こうしたフィードバック制御システム用の信号を発生することができる。しかし、こうしたセンサの製造は極めて困難であり、かつ高価になる。従って、本発明より前には、ＲＧＢ  ＬＥＤにもとづく照明器具に必要なフィードバック制御システムは達成不可能であった。
【発明の開示】
【発明が解決しようとする課題】
【０００４】
本発明は、ＬＥＤ、特にＲＧＢ  ＬＥＤを具えた照明器具を制御するための三刺激値を検出する方法及びシステムに関するものである。本発明の種々の特徴は新規のものであり、明白なものではなく、そして種々の利点をもたらす。本明細書に記載する本発明の実際の特徴は、その請求項のみによって規定され、本明細書に開示する実施例の特徴をなすいくつかの特徴を、以下に簡単に記述する。
【課題を解決するための手段】
【０００５】
本発明の第１の形態は、２つ以上の発光ダイオードを具えた照明器具から照射される光出力を制御する方法である。光出力の第１組の三刺激値を検出する。この第１組の三刺激値を第２組の三刺激値に変換する。この第２組の三刺激値は、標準的な色温度測定系を代表するものである。光出力は、この第２組の三刺激値の関数として制御する。
【０００６】
本発明の第２の形態は、光出力制御システム内のセンサの組を選択的に用いる方法である。第１組の三刺激値、及び第１組のｘｙ座標、及び２つ以上の発光ダイオードを具えた照明器具から照射される光出力のルーメン（光束）値を測定する。この目的のために、ＣＩＥ1931色空間のような標準的な色空間を用いる。光出力の第２組の三刺激値を、複数のセンサによって検出する。第１組の三刺激値と第２組の三刺激値の関数としての変換行列（マトリクス）の係数を計算する。この変換行列が複素数を含む際には、前記センサを使用しない。この変換行列が線形である際には、この変換行列を第２組の三刺激値に適用することによって決まる、第１組のｘｙ座標及びルーメン値と第２組のｘｙ座標及びルーメン値とを比較する。第１組のｘｙ座標及びルーメン値と、第２組のｘｙ座標及びルーメン値との誤差が、誤差の最大限度を超える際には、センサを使用しない。前記変換行列が線形であり、かつ第１組のｘｙ座標と第２組のｘｙ座標との誤差が、誤差の最大限度内である際に、光出力制御システムにおいて前記センサの組を用いる。
【０００７】
本発明の第３の形態は、１つ以上の発光ダイオードを具えた照明器具から照射される光出力を制御するシステムである。このシステムは複数のセンサ及びコントローラを具えている。これらのセンサは、光出力の第１組の三刺激値を検出して、第１組の三刺激値を表わす複数の信号をコントローラに供給すべく動作することができる。コントローラは、第１組の三刺激値を第２組の三刺激値に変換して、光出力のｘｙ座標及びルーメン値の組を、第２組の三刺激値の関数として特定すべく動作することができる。
【０００８】
本発明の以上の形態、他の形態、特徴、利点は、以下に図面を参照して詳細に説明する好適な実施例より一層明らかになる。以下の詳細な説明及び図面は本発明を単に例示するものであり限定するものではなく、本発明の範囲は請求項及びこれと等価なものによって規定される。
【実施例１】
【０００９】
図１Ａに、本発明による変換技法２０を示し、図１Ｂに、技法２０の原理を示す。
【００１０】
図１Ａ及び図１Ｂに示すように、慣例のフィルタ／フォトダイオード・センサ３３を、標準的な色温度測定系３０の等色関数に所定精度で整合するように製造することは困難であり、従って、標準的な色温度測定系の三刺激値及び色度座標を検出するようなフィルタ／フォトダイオード・センサ３３は、市販のものを入手可能ではない。変換技法２０はこの問題を克服する。技法２０の段階Ｓ２２中には、標準的な色温度測定系３０を、慣例のフィルタ／フォトダイオード・センサ３３のすべてではないが一部による検出に使用可能な等色関数を有する等価な色温度測定系３１に変換する変換行列２２を決定する。
【００１１】
１つの実施例では、色温度測定系３０は、三刺激値３０ａ及びｘｙ座標とルーメン値３０ｂを含む色度関数の意味では、国際照明委員会（ＣＩＥ）の色測定系である。これに加えて、色温度測定系３１は、三刺激値３０ａ及びｘｙ座標とルーメン値３０ｂと等価な、三刺激値３１ａ及びｘｙ座標とルーメン値３１ｂの意味では、ＲＧＢ  ＬＥＤにもとづく色測定形である。変換行列３２は、次式(1)に従う：
[Ｔ]＝[ＸＹＺ]T3XM・[ＲＧＢ]MX3・inv{([ＲＧＢ]T3XM・[ＲＧＢ]MX3)}      (1)
ここに、Ｔは変換行列３２であり、Ｘ，Ｙ，Ｚは系３０の三刺激値３０ａであり、Ｒ，Ｇ，Ｂは系３１の三刺激値３１ａであり、Ｍは測定サンプル数であり、これは３以上である。
【００１２】
技法２０の段階Ｓ２４中には、三刺激値３１ａまたはその許容範囲の近似値を表わす信号を供給することが可能なフィルタ／フォトダイオード・センサ３３を得る。１つの実施例では、図１Ｃに示すセンサ選択ルーチン４０を実行して、必要な動作能力を有するフィルタ／フォトダイオード・センサ３３を適切に選択する。
【００１３】
図１Ｃに示すように、ルーチン４０の段階Ｓ４２中には、三刺激値３０ａ、及びｘｙ座標及びルーメン値３０ｂを測定する。１つの実施例では、光出力１１が、多数のＲＧＢ  ＬＥＤにもとづく照明器具１０から照射されて、これによる三刺激値３０ａ、及びｘｙ座標及びルーメン値３０ｂを、慣例の分光計（スペクトロメータ）によって測定する。ルーチン４０の段階Ｓ４４中には、Ｎ個のフィルタ／フォトダイオード・センサ３３を動作させて、ＲＧＢ  ＬＥＤにもとづく照明器具１０から照射される光出力１１を検出して、これにより、三刺激値３１ａ、及びｘｙ座標及びルーメン値３１ｂを表わす信号を供給する。ルーチン４０の段階Ｓ４６中には、段階Ｓ４２中に測定した三刺激値３０ａ、及び変換行列２２の入力値の役割をする段階Ｓ４４中に検出した三刺激値３１ａを用いて(1)式を計算することによって、変換行列３２の係数を決定する。
【００１４】
次の表１に、ＲＧＢ  ＬＥＤにもとづく５つの照明器具１０についての、段階Ｓ４２及び段階Ｓ４４中に測定した測定値、及び３つのフィルタ／フォトダイオード・センサ３３によって検出した三刺激値３１ａの平均値の好例を示す。
【表１】
2004526289.tif 000003
表１から得られた結果の、変換行列２２の係数は：
【数１】
2004526289.tif 000004
【００１５】
ルーチン４０の段階Ｓ４８中には、変換行列２２が線形であるか否か、即ち結果的な係数のいずれかが複素数であるか否かを判定する。結果的な係数のいずれかが複素数である場合には、段階Ｓ４４中に動作しているフィルタ／フォトダイオード・センサ３３を使用せずに、ルーチン４０を終了する。表１から得られた変換行列の例のように、結果的な係数に複素数が無い場合には、ルーチン４０を段階Ｓ５０に進めて、これにより、個々のフィルタ／フォトダイオード・センサ３３を、ＲＧＢ  ＬＥＤにもとづく照明器具１０からの光出力１１を検出すべく動作させて、これにより、三刺激値３１ａを表わす信号を供給する。
【００１６】
ルーチン４０の段階Ｓ５２では、段階Ｓ５０中にフィルタ／フォトダイオード・センサ３３が供給する三刺激値３１ａに変換行列を適用することによって得られたｘｙ座標及びルーメン値（３１ｂ）を、段階Ｓ４２中に測定したｘｙ座標及びルーメン値（３０ｂ）と比較して、最初のｘｙ座標（３１ｂ）とｘｙ座標３０ｂとの誤差が、誤差の最大限度内にあるか、あるいは誤差の最大限度を超えているかを判定する。次の表２に、ｘｙ座標３０ｂとｘｙ座標３１ｂとの誤差の好例を示す。
【表２】
2004526289.tif 000005
【００１７】
ルーチン４０の段階Ｓ５４中には、上記誤差の値が許容限度内にある際に、光出力１１を制御するシステムにフィルタ／フォトダイオード・センサ３３を採用する。さもなければ、ルーチン４０を終了する。
【００１８】
図２Ａに光出力制御システム６０を示し、図２Ｂに、システム６０が、ＲＧＢ  ＬＥＤにもとづく照明器具１０からの照射の光出力１１を制御するために実行する動作ルーチン９０を示す。以下のシステム６０及びルーチン９０の説明より、通常の当業者は、システム６０及びルーチン９０を、例えばオレンジ色ＬＥＤ及び青色ＬＥＤを具えた照明器具のようなＬＥＤにもとづく照明器具に適用した際の機能性を理解することができる。
【００１９】
図２Ａ及び図２Ｂに示すように、システム６０は、検出装置（センシング・デバイス）７０及び光出力コントローラ８０を具えている。検出装置７０は、色センサ７１ａ、色センサ７１ｂ、色センサ７１ｃ、増幅器７２、及び変換行列コントローラ７３を具えている。１つの実施例では、検出装置７０を単一チップとして製造する。
【００２０】
色センサ７１ａ〜７１ｃの具体例は、ルーチン９０の段階Ｓ９２中に、ルーチン４０に従って光出力１１の三刺激値３１ａ（図１Ｂ）を検出するために用いる慣例のフィルタ／フォトダイオードである。図に示す実施例では、色センサ７１ａが光出力１１に応答して、アナログ形式の色信号ＣS1を増幅器７２に供給する。色センサ７１ｂは光出力１１に応答して、アナログ形式の色信号ＣS2を増幅器７２に供給する。色センサ７１ｃは光出力１１に応答して、アナログ形式の色信号ＣS3を増幅器７２に供給する。色信号ＣS1、色信号ＣS2、色信号ＣS3がまとまって、三刺激値３１ａを表わす。
【００２１】
増幅器７２はアナログ及び／またはディジタル回路を具えて、これにより、色信号ＣS1を増幅したアナログ形式の色信号ＣS4をコントローラ７３に供給して、色信号ＣS2を増幅したアナログ形式の色信号ＣS5をコントローラ７３に供給して、色信号ＣS3を増幅したアナログ形式の色信号ＣS6をコントローラ７３に供給する。色センサ７１ａが、色信号ＣS1を変換コントローラ７３に要求されるアナログレベルで供給することが可能であり、色センサ７１ｂが、色信号ＣS2を変換コントローラ７３に要求されるアナログレベルで供給することが可能であり、色センサ７１ｃが、色信号ＣS3を変換コントローラ７３に要求されるアナログレベルで供給することが可能である際には、検出装置７０から増幅器７２を除くことができる。
【００２２】
変換コントローラ７３は、共通装置として組み立てた１つ以上の構成要素から成る電気回路である。変換コントローラ７３は、アナログ回路及び／またはディジタル回路で構成することができる。また、変換コントローラ７３は、プログラム可能な専用装置とするか、あるいは、プログラム可能なハードウエアと専用ハードウエアを混成した組み合わせとすることができる。本発明の原理を実現するために、変換コントローラ７３はさらに、何らかの制御クロック、インタフェース、信号調整器、フィルタ、アナログ−ディジタル（Ａ／Ｄ）変換器、ディジタル−アナログ（Ｄ／Ａ）変換器、通信ポート、あるいは通常の当業者が用いる他の種類の装置を具えることができる。
【００２３】
図に示す実施例では、変換コントローラ７３は、アナログ−ディジタル変換器（図示せず）、集積演算装置（図示せず）、及び半導体メモリ装置（図示せず）を具えている。このメモリは、変換行列２２（図１Ｂ）のプログラミングを格納する。図に示す実施例では、ルーチン９０の随意的な段階Ｓ９４中に、係数調整信号ＣＡSを外部供給源（図示せず）によって随意的にコントローラ７３に供給して、これにより、行列２２の係数を必要に応じて調整することができる。
【００２４】
段階Ｓ９４中には、コントローラ７３が、色信号ＣS4、色信号ＣS5、及び色信号ＣS6に応答して、三刺激値３１ａ（図１Ｂ）を三刺激値３０ａに変換する変換行列２２の計算を実行して、その後に、ルーチン９０の段階９６に進んで、光出力１１のｘｙ座標及びルーメン値３０ｂ（図１Ｂ）を三刺激値３０ａの関数として、慣例の方法で計算する。コントローラ７３は、これらの変換及び計算により、ディジタル形式の三刺激値信号ＴＳＶSを、光出力１１の三刺激値３０ａの指標として、光出力コントローラ８０に供給し、そしてｘｙ座標及びルーメン値の信号ｘｙＬSを、光出力１１のｘｙ座標及びルーメン値３０ｂの指標として、光出力コントローラ８０に供給する。
【００２５】
光出力コントローラ８０は、共通装置として組み立てた１つ以上の構成要素から成る電気回路である。光出力コントローラ８０は、アナログ回路及び／またはディジタル回路で構成することができる。また、光源コントローラ８０は、プログラム可能な専用装置とするか、あるいは、プログラム可能なハードウエアと専用ハードウエアを混成した組み合わせとすることができる。本発明の原理を実現するために、光出力コントローラ８０はさらに、何らかの制御クロック、インタフェース、信号調整器、フィルタ、アナログ−ディジタル（Ａ／Ｄ）変換器、ディジタル−アナログ（Ｄ／Ａ）変換器、通信ポート、あるいは通常の当業者が用いる他の種類の装置を具えることができる。ルーチン９０の段階Ｓ９８中には、コントローラ８０が、三刺激値信号ＴＳＶS、及びｘｙ座標及びルーメン値の信号ｘｙＬSに応答して、光出力調整信号ＬＯＡSを照明器具１０に選択的に供給して、これにより、光出力１１の光学特性を必要に応じて調整することができる。
【００２６】
システム６０の代案の例では、コントローラ７３とコントローラ８０とを集積する。
【００２７】
本明細書に開示する本発明の実施例は現在考えられる好適例であり、本発明の範囲から逸脱することなしに、種々の変更及び変形を加えることができる。本発明の範囲は請求項に示し、本発明及びこれと等価なものの範囲に入るすべての変更も本発明に含まれる。
【図面の簡単な説明】
【００２８】
【図１Ａ】本発明による変換技法のフローチャートである。
【図１Ｂ】図１Ａの変換技法を実現する好適な変換装置のブロック図である。
【図１Ｃ】本発明によるセンサ選択ルーチンの一実施例を示すフローチャートである。
【図２Ａ】本発明による光源検出システムの一実施例を示すブロック図である。
【図２Ｂ】本発明による図２Ａの光源検出システムの動作ルーチンの一実施例を示すフローチャートである。
【符号の説明】
【００２９】
１０  照明器具
１１  光出力
３３  フィルタ／フォトダイオードのセンサ
６０  光出力制御システム
７０  検出装置
７１ａ、７１ｂ、７１ｃ  色センサ
７２  増幅器
７３  変換行列コントローラ
８０  光出力コントローラ
【図１Ａ】
2004526289.tif 000006
【図１Ｃ】
2004526289.tif 000007
【図２Ｂ】
2004526289.tif 000008
【国際公開パンフレット】
2004526289.tif 000009
2004526289.tif 000010
2004526289.tif 000011
2004526289.tif 000012
2004526289.tif 000013
2004526289.tif 000014
2004526289.tif 000015
2004526289.tif 000016
2004526289.tif 000017
2004526289.tif 000018
2004526289.tif 000019
2004526289.tif 000020
2004526289.tif 000021
2004526289.tif 000022
2004526289.tif 000023
2004526289.tif 000024
2004526289.tif 000025
2004526289.tif 000026
2004526289.tif 000027
2004526289.tif 000028
【国際調査報告】
2004526289.tif 000029
2004526289.tif 000030